(57)【要約】【課題】  リモートコントローラにおいて、ユーザにビデオデータをモニタさせるとともに、ユーザからの録画開始操作を受け付けるビデオカメラシステムにおいて、録画操作と実際に録画される内容とのタイムラグを防止する。【解決手段】  撮像ユニット１０に、撮像部１１により生成されたビデオデータに対してデータ圧縮処理を施すデータ圧縮部１２と、データ圧縮処理後のビデオデータをモニタ用としてリモートコントローラ２０に送信するとともに、リモートコントローラ２０からの録画開始信号を受信する送受信部１３と、録画開始信号に応じてビデオデータを録画する録画部１４と、データ圧縮処理前のビデオデータを、データ圧縮・伸張処理に要する時間分遅延させて録画部１４に供給する短時間記録部１５とを備える。【選択図】  図１
2006121212.tif 000002
【特許請求の範囲】
【請求項１】
取得したＡＶデータをモニタ用に外部に送信するとともに、外部からの記録指示に応じてＡＶデータの記録を行う記録装置において、
上記取得したＡＶデータに対してデータ圧縮処理を施す圧縮手段と、
上記データ圧縮処理後のＡＶデータを外部に送信する送信手段と、
外部からの記録指示信号を受信する受信手段と、
上記記録指示信号に応じてＡＶデータを記録する記録手段と、
上記圧縮手段によるデータ圧縮処理前のＡＶデータを遅延させて上記記録手段に供給する遅延手段とを備えることを特徴とする記録装置。
【請求項２】
上記取得したＡＶデータを上記遅延手段を介して上記記録手段に供給する第１供給経路と、上記取得したＡＶデータを上記遅延手段を介さずに上記記録手段に供給する第２供給経路との一方を選択するように切り替える切替手段をさらに備えることを特徴とする請求項１に記載の記録装置。
【請求項３】
請求項１又は２に記載の記録装置と、
撮像を行うことによりＡＶデータを生成する撮像手段とを備え、
上記記録装置は、上記撮像手段からＡＶデータを取得することを特徴とする撮像記録ユニット。
【請求項４】
請求項１又は２に記載の記録装置から送信されたＡＶデータを受信するとともに、上記記録装置に対して記録指示を与えるコントロールユニットであって、
上記記録装置から送信されたＡＶデータを受信する受信手段と、
上記受信したＡＶデータに対してデータ伸張処理を施す伸張手段と、
上記伸張されたＡＶデータをユーザにモニタさせるためのモニタ手段と、
ユーザからの記録指示操作を受け付ける操作手段と、
上記記録指示操作に基づく記録指示信号を上記記録装置に対して送信する送信手段とを備えることを特徴とするコントロールユニット。
【請求項５】
請求項１又は２に記載の記録装置と、請求項４に記載のコントロールユニットとを備えることを特徴とする記録システム。
【請求項６】
上記遅延手段による遅延時間は、上記圧縮手段によるデータ圧縮処理前のＡＶデータと、上記伸張手段によるデータ伸張処理後のＡＶデータとの時間差に相当する時間であることを特徴とする請求項５に記載の記録システム。
【請求項７】
上記遅延手段による遅延時間は、上記圧縮手段におけるデータ圧縮処理に要する時間と、上記伸張手段におけるデータ伸張処理に要する時間との合計に相当する時間であることを特徴とする請求項５に記載の記録システム。
【請求項８】
上記圧縮手段におけるデータ圧縮処理はＭＰＥＧ２のデータ圧縮処理であり、
上記伸張手段におけるデータ伸張処理はＭＰＥＧ２のデータ伸張処理であり、
上記遅延手段による遅延時間は、ＭＰＥＧ２のデータ圧縮及び伸張処理に要する時間であることを特徴とする請求項５に記載の記録システム。
【請求項９】
取得したＡＶデータをモニタ用に外部に送信するとともに、外部からの記録指示に応じてＡＶデータの記録を行う記録装置において、
上記取得したＡＶデータに対してデータ圧縮処理を施す圧縮手段と、
上記データ圧縮処理後のＡＶデータを外部に送信する送信手段と、
外部からの記録指示信号を受信するとともに、上記送信手段により送信され、モニタされるＡＶデータと同期処理された後、返送されてきたＡＶデータを受信する受信手段と、
上記記録指示信号に応じて、上記受信手段により受信したＡＶデータを記録する記録手段とを備えることを特徴とする記録装置。
【請求項１０】
上記受信手段により受信したＡＶデータを上記記録手段に供給する第１供給経路と、圧縮手段によるデータ圧縮処理前のＡＶデータを上記記録手段に供給する第２供給経路とを切り替える切替手段をさらに備えることを特徴とする請求項９に記載の記録装置。
【請求項１１】
請求項９又は１０に記載の記録装置と、
撮像を行うことによりＡＶデータを生成する撮像手段とを備え、
上記記録装置は、上記撮像手段からＡＶデータを取得することを特徴とする撮像記録ユニット。
【請求項１２】
請求項９又は１０に記載の記録装置から送信されたＡＶデータを受信するとともに、上記記録装置に対して記録指示を与えるコントロールユニットであって、
上記記録装置から送信されたＡＶデータを受信する受信手段と、
上記受信したＡＶデータに対してデータ伸張処理を施す伸張手段と、
上記伸張されたＡＶデータをユーザにモニタさせるためのモニタ手段と、
ユーザからの記録指示操作を受け付ける操作手段と、
上記記録指示操作に基づく記録指示信号を上記記録装置に対して送信するとともに、上記データ伸張処理後のＡＶデータを上記記録装置に対して返送する送信手段とを備えることを特徴とするコントロールユニット。
【請求項１３】
請求項９又は１０に記載の記録装置と、請求項１２に記載のコントロールユニットとを備えることを特徴とする記録システム。
【発明の詳細な説明】
【技術分野】
【０００１】
本発明は、外部装置に対してモニタ用にＡＶデータを送信するとともに、上記外部装置からの記録指示に応じてＡＶデータの記録を行う記録装置、この記録装置を備えた撮像記録ユニット、上記外部装置としてのコントロールユニット、及び上記記録装置と上記コントロールユニットとを含む記録システムに関するものである。
【背景技術】
【０００２】
従来、図６に示すように、撮像部１１１を備える撮像ユニット１１０と、当該撮像ユニット１１０から分離され、液晶モニタ１２１を備えるリモートコントローラ１２０とによって構成されるビデオカメラシステム１００が開発されている。
【０００３】
このビデオカメラシステム１００では、撮像ユニット１１０の撮像部１１１において撮像を行い、リモートコントローラ１２０の液晶モニタ１２１において撮像された映像を表示する。
【０００４】
そのために、撮像ユニット１１０では、撮像部１１１により撮像及びビデオデータ（映像データ）の生成を行い、データ圧縮部１１２により上記ビデオデータを圧縮し、送受信部１１３により上記圧縮されたビデオデータを無線送信する。また、リモートコントローラ１２０では、送受信部１２３により上記送信されたビデオデータを受信し、データ伸張部１２２により上記受信されたビデオデータを伸張し、液晶モニタ１２１により上記伸張されたビデオデータに基づく映像を表示する。
【０００５】
また、このビデオカメラシステム１００では、ユーザは、リモートコントローラ１２０の液晶モニタ１２１に表示された映像を見ながら操作部１２４を操作することにより、録画の開始及び停止を指示する。
【０００６】
上記録画の開始及び停止指示は、送受信部１２３及び送受信部１１３を介して撮像ユニット１１０に備えられた録画部１１４へ伝達され、録画部１１４において撮像部１１１からのビデオデータを録画する。
【０００７】
このように、ビデオカメラシステム１００では、撮像ユニット１１０側にのみ録画部１１４が設けられており、リモートコントローラ１２０には録画部は設けられていない。その理由は、ビデオカメラシステム１００の全体の小型化・軽量化を重視するためである。
【発明の開示】
【発明が解決しようとする課題】
【０００８】
しかしながら、上記従来の構成では、データ圧縮部１１２及びデータ伸張部１２２における処理時間により、リモートコントローラ１２０の液晶モニタ１２１にリアルタイムに映像を表示できないため、撮像ユニット１１０の撮像部１１１において撮像される映像と、液晶モニタ１２１に表示される映像との間に、時間的な相違（タイムラグ）が発生してしまう。
【０００９】
すなわち、上記タイムラグがｔｒ秒であるものとすると、リモートコントローラ１２０の電源ＯＮ時刻（＝基準時刻）からｔ秒後に液晶モニタ１２１に表示されている映像を見てユーザが録画開始の指示をした場合、撮像部１１１において撮像される映像、すなわち、録画部１１４において録画される映像は（ｔ＋ｔｒ）秒後の映像になってしまう。
【００１０】
したがって、上記従来の構成では、ユーザが録画しようとした映像の先頭部分が録画されずに欠落してしまうことになるという問題がある。
【００１１】
本発明は、上記の問題点に鑑みてなされたものであり、その目的は、タイムラグのない、あるいはタイムラグの小さい録画等の記録を可能とする記録装置を実現することにある。
【課題を解決するための手段】
【００１２】
本発明に係る記録装置は、取得したＡＶデータをモニタ用に外部に送信するとともに、外部からの記録指示に応じてＡＶデータの記録を行う記録装置であって、上記課題を解決するために、上記取得したＡＶデータに対してデータ圧縮処理を施す圧縮手段と、上記データ圧縮処理後のＡＶデータを外部に送信する送信手段と、外部からの記録指示信号を受信する受信手段と、上記記録指示信号に応じてＡＶデータを記録する記録手段と、上記圧縮手段によるデータ圧縮処理前のＡＶデータを遅延させて上記記録手段に供給する遅延手段とを備えることを特徴としている。
【００１３】
上記記録装置では、ＡＶデータを外部へ送信するための送信手段と、外部からの記録指示信号を受信するための受信手段と、記録指示信号に応じてＡＶデータを記録する記録手段とを備えている。これにより、外部の装置においてＡＶデータの内容をユーザにモニタさせることができ、ユーザは、ＡＶデータの内容をモニタしながら上記記録装置に対して記録指示を与えることができ、この記録指示に応じて上記記録装置の記録手段にＡＶデータを記録することができる。
【００１４】
ここで、上記記録装置では、ＡＶデータを外部に送信するために、圧縮手段によってＡＶデータに対してデータ圧縮処理を施す。そのため、送信されるＡＶデータには、取得したＡＶデータに対して、データ圧縮処理に要する時間分のタイムラグが生じることになる。さらに、外部の装置においてモニタするためには、圧縮されたＡＶデータに対してデータ伸張処理を施す必要もあるため、モニタされるＡＶデータにおけるタイムラグはさらに大きくなることになる。
【００１５】
そうすると、上記記録指示はタイムラグを含むＡＶデータに基づいてなされることになることから、この記録指示を受けた時点において上記記録装置で取得したＡＶデータをそのまま記録手段に記録したのでは、上記タイムラグ分遅れたＡＶデータを記録してしまうことになり、本来記録すべきであったＡＶデータの先頭部分が欠落してしまうことになる。
【００１６】
そこで、上記記録装置では、データ圧縮処理前のＡＶデータを遅延させて記録手段に供給する遅延手段を備えている。これにより、上記タイムラグをなくす、あるいは小さくすることができるようになる。その結果、上記記録装置では、記録指示がより的確に反映された録画を行うことが可能となる。
【００１７】
なお、ＡＶデータとは、ビデオデータとオーディオデータとの両方を含むデータ以外に、ビデオデータを含みオーディオデータを含んでいないデータや、オーディオデータを含みビデオデータを含んでいないデータも含まれる。
【００１８】
本発明に係る記録装置は、上記取得したＡＶデータを上記遅延手段を介して上記記録手段に供給する第１供給経路と、上記取得したＡＶデータを上記遅延手段を介さずに上記記録手段に供給する第２供給経路との一方を選択するように切り替える切替手段をさらに備えていてもよい。
【００１９】
上記構成では、送信手段によって送信されたＡＶデータをモニタしつつ、そのモニタに応じて記録指示がなされる場合には第１供給経路を選択させ、上記モニタとは無関係に記録指示がなされる場合には第２供給経路を選択させることにより、何れの場合においても、タイムラグのない、あるいはタイムラグの小さい状態での記録が可能になる。
【００２０】
本発明に係る撮像記録ユニットは、上記記録装置と、撮像を行うことによりＡＶデータを生成する撮像手段とを備え、上記記録装置は、上記撮像手段からＡＶデータを取得する構成である。
【００２１】
上記構成では、上述した記録装置と、撮像を行うことによりＡＶデータを生成する撮像手段とを備える撮像記録ユニットを実現することができる。
【００２２】
本発明に係るコントロールユニットは、上記記録装置から送信されたＡＶデータを受信するとともに、上記記録装置に対して記録指示を与えるコントロールユニットであって、上記記録装置から送信されたＡＶデータを受信する受信手段と、上記受信したＡＶデータに対してデータ伸張処理を施す伸張手段と、上記伸張されたＡＶデータをユーザにモニタさせるためのモニタ手段と、ユーザからの記録指示操作を受け付ける操作手段と、上記記録指示操作に基づく記録指示信号を上記記録装置に対して送信する送信手段とを備える構成である。
【００２３】
上記構成では、上述した記録装置と組み合わせて利用することにより、ユーザにＡＶデータをモニタさせるとともに、ユーザからの記録指示操作を受け付けてその記録指示操作に基づく記録指示信号を上記記録装置に対して送信するコントロールユニットを実現することができる。
【００２４】
本発明に係る記録システムは、上記記録装置と、上記コントロールユニットとを備える構成である。上記構成では、記録指示がより的確に反映された録画を行うことが可能な記録システムを実現することができる。
【００２５】
なお、上記遅延手段による遅延時間は、上記圧縮手段によるデータ圧縮処理前のＡＶデータと、上記伸張手段によるデータ伸張処理後のＡＶデータとの時間差に相当する時間に設定すればよい。あるいは、上記遅延手段による遅延時間は、上記圧縮手段におけるデータ圧縮処理に要する時間と、上記伸張手段におけるデータ伸張処理に要する時間との合計に相当する時間に設定してもよい。さらに、上記圧縮手段におけるデータ圧縮処理はＭＰＥＧ２のデータ圧縮処理であり、上記伸張手段におけるデータ伸張処理はＭＰＥＧ２のデータ伸張処理である場合には、上記遅延手段による遅延時間は、ＭＰＥＧ２のデータ圧縮及び伸張処理に要する時間に設定してもよい。
【００２６】
本発明に係る記録装置は、取得したＡＶデータをモニタ用に外部に送信するとともに、外部からの記録指示に応じてＡＶデータの記録を行う記録装置であって、上記課題を解決するために、上記取得したＡＶデータに対してデータ圧縮処理を施す圧縮手段と、上記データ圧縮処理後のＡＶデータを外部に送信する送信手段と、外部からの記録指示信号を受信するとともに、上記送信手段により送信され、モニタされるＡＶデータと同期処理された後、返送されてきたＡＶデータを受信する受信手段と、上記記録指示信号に応じて、上記受信手段により受信したＡＶデータを記録する記録手段とを備えることを特徴としている。
【００２７】
上記記録装置では、ＡＶデータを外部へ送信するための送信手段と、外部からの記録指示信号を受信するための受信手段と、記録指示信号に応じてＡＶデータを記録する記録手段とを備えている。これにより、外部の装置においてＡＶデータの内容をユーザにモニタさせることができ、ユーザは、ＡＶデータの内容をモニタしながら上記記録装置に対して記録指示を与えることができ、この記録指示に応じて上記記録装置の記録手段にＡＶデータを記録することができる。
【００２８】
ここで、上記記録装置では、ＡＶデータを外部に送信するために、圧縮手段によってＡＶデータに対してデータ圧縮処理を施す。そのため、送信されるＡＶデータには、取得したＡＶデータに対して、データ圧縮処理に要する時間分のタイムラグが生じることになる。さらに、外部の装置においてモニタするためには、圧縮されたＡＶデータに対してデータ伸張処理を施す必要もあるため、モニタされるＡＶデータにおけるタイムラグはさらに大きくなることになる。
【００２９】
そうすると、上記記録指示はタイムラグを含むＡＶデータに基づいてなされることになることから、この記録指示を受けた時点において上記記録装置で取得したＡＶデータをそのまま記録手段に記録したのでは、上記タイムラグ分遅れたＡＶデータを記録してしまうことになり、本来記録すべきであったＡＶデータの先頭部分が欠落してしまうことになる。
【００３０】
そこで、上記記録装置では、データ圧縮処理後に外部に送信され、外部においてモニタされるＡＶデータと同期処理された後、返送されてきたのＡＶデータを受信手段において受信し、この受信したＡＶデータを記録手段に記録するようになっている。このように、モニタされるＡＶデータと同期処理されたＡＶデータ、すなわち、外部の装置において上記データ伸張処理などが施されたＡＶデータであれば、記録指示の時点においてタイムラグは発生していないので、このＡＶデータを受信して記録するようにすれば、記録されるＡＶデータにおける上記タイムラグをなくす、あるいは小さくすることができるようになる。その結果、上記記録装置では、記録指示がより的確に反映された録画を行うことが可能となる。
【００３１】
なお、返送されてくるＡＶデータが再度データ圧縮処理のほどこされたものである場合には、受信後にデータ伸張処理を施してから記録するようにしてもよい。
【００３２】
本発明に係る記録装置は、上記受信手段により受信したＡＶデータを上記記録手段に供給する第１供給経路と、圧縮手段によるデータ圧縮処理前のＡＶデータを上記記録手段に供給する第２供給経路とを切り替える切替手段をさらに備えていてもよい。
【００３３】
上記構成では、送信手段によって送信されたＡＶデータをモニタしつつ、そのモニタに応じて記録指示がなされる場合には第１供給経路を選択させ、上記モニタとは無関係に記録指示がなされる場合には第２供給経路を選択させることにより、何れの場合においても、タイムラグのない、あるいはタイムラグの小さい状態での記録が可能になる。
【００３４】
本発明に係る撮像記録ユニットは、上記記録装置と、撮像を行うことによりＡＶデータを生成する撮像手段とを備え、上記記録装置は、上記撮像手段からＡＶデータを取得する構成である。上記構成では、記録指示がより的確に反映された録画を行うことが可能な撮像記録ユニットを実現することができる。
【００３５】
本発明に係るコントロールユニットは、上記記録装置から送信されたＡＶデータを受信するとともに、上記記録装置に対して記録指示を与えるコントロールユニットであって、上記記録装置から送信されたＡＶデータを受信する受信手段と、上記受信したＡＶデータに対してデータ伸張処理を施す伸張手段と、上記伸張されたＡＶデータをユーザにモニタさせるためのモニタ手段と、ユーザからの記録指示操作を受け付ける操作手段と、上記記録指示操作に基づく記録指示信号を上記記録装置に対して送信するとともに、上記データ伸張処理後のＡＶデータを上記記録装置に対して返送する送信手段とを備える構成である。
【００３６】
上記構成では、上述した記録装置と組み合わせて利用することにより、ユーザにＡＶデータをモニタさせるとともに、ユーザからの記録指示操作を受け付けてその記録指示操作に基づく記録指示信号を上記記録装置に対して送信するコントロールユニットを実現することができる。
【００３７】
また、上記構成では、ユーザにモニタさせるためのＡＶデータと同じく、データ伸張処理後のＡＶデータを上記記録装置に対して返送するようになっているので、返信されるＡＶデータとモニタされるＡＶデータとの間のタイムラグをなくす、あるいは小さくすることができる。
【００３８】
なお、返送するために、データ伸張処理後のＡＶデータに対して再度データ圧縮処理を施してもよい。
【００３９】
本発明に係る記録システムは、上記記録装置と、上記コントロールユニットとを備える構成である。上記構成では、記録指示がより的確に反映された録画を行うことが可能な記録システムを実現することができる。
【発明の効果】
【００４０】
本発明に係る記録装置は、以上のように、取得したＡＶデータに対してデータ圧縮処理を施す圧縮手段と、上記データ圧縮処理後のＡＶデータを外部に送信する送信手段と、外部からの記録指示信号を受信する受信手段と、上記記録指示信号に応じてＡＶデータを記録する記録手段と、上記圧縮手段によるデータ圧縮処理前のＡＶデータを遅延させて上記記録手段に供給する遅延手段とを備える構成である。
【００４１】
上記構成では、データ圧縮処理前のＡＶデータを遅延させて記録手段に供給する遅延手段を備えている。これにより、録画におけるタイムラグをなくす、あるいは小さくすることができるようになる。その結果、上記構成では、記録指示がより的確に反映された録画を行うことが可能となるという効果を奏する。
【００４２】
あるいは、本発明に係る記録装置は、以上のように、取得したＡＶデータに対してデータ圧縮処理を施す圧縮手段と、上記データ圧縮処理後のＡＶデータを外部に送信する送信手段と、外部からの記録指示信号を受信するとともに、上記送信手段により送信され、モニタされるＡＶデータと同期処理された後、返送されてきたＡＶデータを受信する受信手段と、上記記録指示信号に応じて、上記受信手段により受信したＡＶデータを記録する記録手段とを備える構成である。
【００４３】
上記構成では、データ圧縮処理後に外部に送信され、外部においてモニタされるＡＶデータと同期処理された後、返送されてきたのＡＶデータを受信手段において受信し、この受信したＡＶデータを記録手段に記録するようになっている。このように、モニタされるＡＶデータと同期処理されたＡＶデータであれば、記録指示の時点においてタイムラグは発生していないので、このＡＶデータを受信して記録するようにすれば、記録されるＡＶデータにおけるタイムラグをなくす、あるいは小さくすることができるようになる。その結果、上記構成では、記録指示がより的確に反映された録画を行うことが可能となるという効果を奏する。
【発明を実施するための最良の形態】
【００４４】
〔実施形態１〕
本発明の第１の実施形態について図１及び図２に基づいて説明すると以下の通りである。
【００４５】
図１のブロック図に基づいて、本実施形態におけるビデオカメラシステム（記録システム）１の構成について説明する。ビデオカメラシステム１は、互いに分離可能に構成されている撮像ユニット（撮像記録ユニット）１０とリモートコントローラ（コントロールユニット）２０とを備えている。
【００４６】
撮像ユニット１０は、撮像部１１と、データ圧縮部１２と、送受信部１３と、録画部１４と、短時間記録部１５と、切替部１６と、制御部１７とを備えている。
【００４７】
撮像部１１は、ＣＣＤ（charge coupled device）などからなる撮像素子や、撮像素子上に結像させるためのレンズ系などを備え、撮像した映像に応じたビデオデータを生成するものであり、撮像手段として機能する。撮像部１１としては、通常の可視光による撮像を行うもののほか、遠赤外線による撮像を行う遠赤外線カメラなどを採用することができる。遠赤外線カメラを採用することにより、十分な照明の得られない暗い状況においても、明りょうに撮像することが可能になる。
【００４８】
データ圧縮部１２は、撮像部１１において生成されたビデオデータを取得し、このビデオデータに対してデータ圧縮処理を施すものであり、圧縮手段として機能する。データ圧縮処理としては、例えば、ＭＰＥＧ２（MPEG2 Transport Stream）の圧縮処理を採用することができる。
【００４９】
送受信部１３は、データ圧縮部１２において圧縮処理の施されたビデオデータをリモートコントローラ２０に対して送信するとともに、リモートコントローラ２０から送信される録画開始信号（記録指示信号）及び録画停止信号を受信するものであり、送信手段及び受信手段として機能する。送受信部１３における通信形態としては、例えば、赤外線データ通信を採用することができる。赤外線データ通信を採用することにより、比較的低コストで送受信部１３を実現することができる。また、赤外線データ通信は無線通信であるので、撮像ユニット１０とリモートコントローラ２０との配置の自由度が高まる。送受信部１３における通信方式としては、例えば、スペクトラム拡散変調方式などの無線通信を採用することができる。スペクトラム拡散変調方式を採用することにより、ノイズによる伝送信号の悪化を抑制することができる。なお、送受信部１３における通信形態及び通信方式は上記に限られず、例えば、有線通信などであってもよい。
【００５０】
録画部１４は、上記録画開始信号に応じて、撮像部１１において生成されたビデオデータを記録するものであり、記録手段として機能する。録画部１４としては、ビデオテープ記録部、光磁気ディスク記録部、ハードディスク記録部などの様々な記録部を採用することができる。
【００５１】
短時間記録部１５は、撮像部１１において生成されたビデオデータを一時的に記憶し、ある規定時間経過後に出力可能な記憶素子からなり、ビデオデータを上記規定時間分遅延させる遅延手段として機能する。上記規定時間の詳細については、後述する。短時間記録部１５は、各種メモリによって構成することができる。
【００５２】
切替部１６は、撮像部１１において生成されたビデオデータを録画部１４へ供給する経路を選択して切り替えるためのものであり、切替手段として機能する。すなわち、切替部１６は、撮像部１１において生成されたビデオデータを、短時間記録部１５を介して録画部１４に供給する第１供給経路と、短時間記録部１５を介さずに録画部１４に供給する第２供給経路とのうちの一方を選択するように切り替える。この切り替えは、制御部１７によって制御される。
【００５３】
制御部１７は、撮像ユニット１０における上記各部を制御するためのものであり、制御手段として機能する。制御部１７による具体的な制御内容としては、例えば、撮像部１１における撮像の開始及び停止、データ圧縮部１２におけるデータ圧縮処理の開始及び停止、送受信部１３における送受信処理の開始及び停止、録画部１４における録画の開始及び停止、短時間記録部１５における記憶及び出力の開始及び停止、切替部１６の切り替えなどが含まれる。なお、制御部１７による制御の流れについては後述する。
【００５４】
なお、上記データ圧縮部１２と、送受信部１３と、録画部１４と、短時間記録部１５と、切替部１６と、制御部１７とは、録画装置１９（記録装置）を構成している。録画装置１９は、撮像部１１からビデオデータを取得し、このビデオデータをモニタ用としてリモートコントローラ２０に送信するとともに、リモートコントローラ２０からの録画開始信号に応じてビデオデータを録画部１４に録画するものである。
【００５５】
一方、リモートコントローラ２０は、液晶モニタ２１と、データ伸張部２２と、送受信部２３と、操作部２４と、制御部２５とを備えている。
【００５６】
送受信部２３は、撮像ユニット１０から送信されたビデオデータを受信するとともに、録画開始信号や録画停止信号をはじめとする制御信号を撮像ユニット１０に対して送信するものであり、送信手段及び受信手段として機能する。送受信部２３における通信形態や通信方式としては、上述した送受信部１３に対応するものであればよい。
【００５７】
データ伸張部２２は、送受信部２３において受信されたビデオデータに対して、データ伸張処理を施すものであり、伸張手段として機能する。データ伸張処理としては、例えば、ＭＰＥＧ２の伸張処理を採用することができる。
【００５８】
液晶モニタ２１は、データ伸張部２２においてデータ伸張処理の施されたビデオデータに基づく映像を表示することにより、上記ビデオデータをユーザにモニタさせるためのものであり、モニタ手段として機能する。
【００５９】
操作部２４は、ユーザからの操作を受け付けるために、ユーザによって操作される操作ボタンなどを備えており、操作手段として機能する。上記操作には、ビデオカメラシステム１に対する各種操作が含まれており、特に、録画部１４における録画開始を指示するための録画開始操作（記録指示操作）、及び録画停止を指示するための録画停止操作を含んでいる。
【００６０】
制御部２５は、リモートコントローラ２０における上記各部を制御するためのものであり、制御手段として機能する。制御部１７による具体的な制御内容としては、例えば、送受信部２３における送受信処理の開始及び停止、データ伸張部２２におけるデータ伸張処理の開始及び停止、液晶モニタ２１における映像表示の開始及び停止、操作部２４を介した操作の受け付けなどが含まれる。特に、制御部２５は、操作部２４を介して録画開始操作及び録画停止操作を受け付けると、送受信部２３を介してそれぞれ録画開始信号及び録画停止信号を撮像ユニット１０に対して送信させる。
【００６１】
次に、図２のフローチャートに基づいて、上記ビデオカメラシステム１の撮像ユニット１０における制御の流れについて説明する。なお、図２のフローチャートは、撮像部１１における撮像や、液晶モニタ２１における映像の表示が既に開始されている状態を前提として、録画の開始及び停止を行うための制御を示すものである。
【００６２】
制御部１７は、送受信部１３において録画開始信号を受信することを待ち受ける（ステップＳ２１）。
【００６３】
録画開始信号を受信すると、制御部１７は、まず、経路切替処理を行う（ステップＳ２２）。すなわち、切替部１６が第１供給経路（撮像部１１において生成されたビデオデータを、短時間記録部１５を介して録画部１４に供給する経路）を選択するように設定する。そして、短時間記録部１５からのビデオデータの出力を開始させるとともに（ステップＳ２３）、録画部１４による録画を開始させる（ステップＳ２４）。なお、ステップＳ２２〜Ｓ２４は順序を入れ替えられてもよいが、何れにしてもほぼ同時に行われる。
【００６４】
そして、制御部１７は、送受信部１３において録画停止信号を受信することを待ち受ける（ステップＳ２５）。
【００６５】
録画停止信号を受信すると、制御部１７は、短時間記録部１５からのビデオデータの出力を停止させるとともに（ステップＳ２６）、録画部１４による録画を停止させる（ステップＳ２７）。なお、切替部１６が第２供給経路（撮像部１１において生成されたビデオデータを、短時間記録部１５を介さずに録画部１４に供給する経路）を選択するように設定してもよいが、このような設定を行わなくてもよい。
【００６６】
撮像ユニット１０に切替部１６を設けている理由は次のとおりである。録画開始操作及び録画停止操作は、必ずしも液晶モニタ２１に表示される映像をモニタしながらなされるとは限らない。なぜなら、液晶モニタ２１に表示される映像とは無関係に、実際の撮像対象を見ながら録画開始操作及び録画停止操作を行う場合もあるからである。このような録画開始操作及び録画停止操作を受け付ける操作部（図示せず）が撮像ユニット１０側には設けられており、この操作部が操作された場合には、制御部１７は、切替部１６が第２供給経路を選択するように設定することにより、ビデオデータを遅延なしに録画部１４に供給するようにする。なお、このような利用を想定しない場合には、撮像ユニット１０に切替部１６を備えることなく、短時間記録部１５の出力を録画部１４に直接供給するようにしてもよい。
【００６７】
以上のような構成を有するビデオカメラシステム１を利用するユーザは、撮像部１１において撮像されている映像を、リモートコントローラ２０における液晶モニタ２１によってモニタするとともに、映像を録画しておきたいと判断した場合には、操作部２４において録画開始操作を行うことにより、遠隔操作によって録画部１４に映像を録画することができる。
【００６８】
ここで、ビデオカメラシステム１では、撮像部１１によって撮像された映像は、当該映像のビデオデータに対して、データ圧縮部１２によるデータ圧縮処理、及びデータ伸張部２２によるデータ伸張処理が施された後に液晶モニタ２１に表示されることになる。そうすると、上記データ圧縮処理及びデータ伸張処理にはある程度の時間を要することになるので、撮像部１１において撮像された映像が液晶モニタ２１に表示されるまでには時間差（タイムラグ）が生じてしまうことになる。
【００６９】
そこで、ビデオカメラシステム１では、撮像部１１において生成されたビデオデータを、撮像ユニット１０の短時間記録部１５において、上記タイムラグにほぼ相当する時間分遅延させて録画部１４に供給することができるようになっている。
【００７０】
これにより、液晶モニタ２１の表示に基づいて指定された映像上の録画開始時点と、録画部１４に実際に録画された映像上の録画開始時点とのずれをなくす、あるいは小さくすることができる。録画停止時点に関しても、上記録画開始時点の場合と同じように、ずれをなくす、あるいは小さくすることができる。
【００７１】
その結果、ビデオカメラシステム１では、液晶モニタ２１を見ながら録画開始及び録画停止の操作を行うユーザの意図をより的確に反映した録画を行うことが可能となる。
【００７２】
なお、以上ではビデオカメラシステム１において記録するデータとしてビデオデータを想定して説明したが、記録するデータとしては、ビデオデータとともにオーディオデータ（音声データ）が含まれていてもよく、ビデオデータを含まないオーディオデータであってもよい。これらを総称する場合には「ＡＶデータ」と称することとする。オーディオデータを生成するためには、マイクロフォンなどを備えておけばよく、オーディオデータをモニタするためには、スピーカなどを備えておけばよい。
【００７３】
また、以上では録画部１４に動画を記録することを想定して説明したが、静止画を記録できるようになっていてもよい。すなわち、液晶モニタ２１に表示される映像におけるある時点の静止画を記録しておきたい場合に、操作部２４を介して記録指示を行うことにより、撮像ユニット１０において短時間記録部１５から出力される映像を構成する先頭の静止画を録画部１４に記録するようにすればよい。
【００７４】
〔実施形態２〕
本発明の第２の実施形態について図３から図５に基づいて説明すると以下の通りである。
【００７５】
図３のブロック図に基づいて、本実施形態におけるビデオカメラシステム（記録システム）２の構成について説明する。ビデオカメラシステム２は、互いに分離可能に構成されている撮像ユニット（撮像記録ユニット）５０とリモートコントローラ（コントロールユニット）６０とを備えている。
【００７６】
撮像ユニット５０は、撮像部５１と、データ圧縮部５２と、送受信部５３と、録画部５４と、データ伸張部５５と、切替部５６と、制御部５７とを備えている。なお、撮像部５１、データ圧縮部５２、及び録画部５４は、実施形態１におけるそれぞれ撮像部１１、データ圧縮部１２、録画部１４と同一構成であるので、ここでは説明を省略する。また、送受信部５３、切替部５６、及び制御部５７は、実施形態１におけるそれぞれ送受信部１３、切替部１６、及び制御部１７に対応する構成であり、下記の相違点を除いて基本的にはこれらと同じ構成である。
【００７７】
送受信部５３は、データ圧縮部５２において圧縮処理の施されたビデオデータをリモートコントローラ２０に対して送信するとともに、リモートコントローラ２０から送信される録画開始信号及び録画停止信号を受信する点においては送受信部１３と同じであるが、送受信部５３は、さらに、上記リモートコントローラ２０に送信し、リモートコントローラ２０から返送されてきたビデオデータをも受信し、受信したビデオデータをデータ伸張部５５に送るようになっている点において送受信部１３とは異なっている。
【００７８】
データ伸張部５５は、送受信部５３において受信されたビデオデータに対して、データ伸張処理を施すものであり、伸張手段として機能する。データ伸張処理としては、例えば、ＭＰＥＧ２の伸張処理を採用することができる。
【００７９】
切替部５６は、送受信部５３において受信され、データ伸張部５５においてデータ伸張処理の施されたビデオデータ、又は撮像部５１において生成されたビデオデータを録画部５４へ供給する経路を選択して切り替えるためのものであり、切替手段として機能する。すなわち、切替部５６は、送受信部５３において受信され、データ伸張部５５においてデータ伸張処理の施されたビデオデータを録画部５４に供給する第１供給経路と、撮像部５１において生成され、データ圧縮部５２においてデータ圧縮処理の施される前のビデオデータを録画部５４に供給する第２供給経路とのうちの一方を選択するように切り替える。この切り替えは、制御部５７によって制御される。
【００８０】
制御部５７は、撮像ユニット５０における上記各部を制御するためのものであり、制御手段として機能する。制御部５７は、制御部１７とは一部異なる制御を行うが、その具体的内容については後述する。
【００８１】
なお、上記データ圧縮部５２と、送受信部５３と、録画部５４と、データ伸張部５５と、切替部５６と、制御部５７とは、録画装置５９（記録装置）を構成している。録画装置５９は、撮像部５１からビデオデータを取得し、このビデオデータをモニタ用としてリモートコントローラ６０に送信するとともに、リモートコントローラ６０からの録画開始信号に応じてビデオデータを録画部５４に録画するものである。
【００８２】
一方、リモートコントローラ６０は、液晶モニタ６１と、データ伸張部６２と、送受信部６３と、操作部６４と、制御部６５と、データ圧縮部６６とを備えている。なお、液晶モニタ６１及び操作部６４は、実施形態１におけるそれぞれ液晶モニタ２１及び操作部２４と同一構成であるので、ここでは説明を省略する。また、データ伸張部６２、送受信部６３、及び制御部６５は、実施形態１におけるそれぞれデータ伸張部２２、送受信部２３、及び制御部２５に対応する構成であり、下記の相違点を除いて基本的にはこれらと同じ構成である。
【００８３】
送受信部６３は、撮像ユニット１０から送信されたビデオデータを受信するとともに、録画開始信号や録画停止信号をはじめとする制御信号を撮像ユニット１０に対して送信する点においては送受信部２３と同じであるが、送受信部６３は、さらに、データ伸張部６２においてデータ伸張処理が施され、データ圧縮部６６において再度データ圧縮処理が施されたビデオデータを、撮像ユニット５０に対して返送するようになっている点において送受信部２３とは異なっている。
【００８４】
データ伸張部６２は、送受信部６３において受信されたビデオデータに対して、データ伸張処理を施すものである点においてはデータ伸張部２２と同じであるが、データ伸張処理の施されたビデオデータを液晶モニタ６１のみならずデータ圧縮部６６にも送る点においてデータ伸張部２２とは異なっている。
【００８５】
そして、データ圧縮部６６は、データ圧縮部６６から送られてきたデータ伸張処理後のビデオデータに対して、再度データ圧縮処理を施すものであり、圧縮手段として機能する。
【００８６】
制御部６５は、リモートコントローラ６０における上記各部を制御するためのものであり、操作部６４を介して録画開始操作及び録画停止操作を受け付けると、送受信部６３を介してそれぞれ録画開始信号及び録画停止信号を撮像ユニット５０に対して送信させる点においては制御部２５と同じであるが、制御部６５は、さらに、操作部６４を介して録画開始操作及び録画停止操作を受け付けると、データ圧縮部６６におけるデータ圧縮処理の開始及び停止を指示するとともに、データ圧縮部６６によってデータ圧縮処理の施されたビデオデータをも送受信部６３を介して撮像ユニット５０に対して送信させる点において制御部２５とは異なっている。
【００８７】
次に、図４のフローチャートに基づいて、上記ビデオカメラシステム１の撮像ユニット５０における制御の流れについて説明する。なお、図４のフローチャートは、撮像部５１における撮像や、液晶モニタ６１における映像の表示が既に開始されている状態を前提として、録画の開始及び停止を行うための制御を示すものである。
【００８８】
制御部５７は、送受信部５３において録画開始信号を受信することを待ち受ける（ステップＳ４１）。
【００８９】
録画開始信号を受信すると、制御部５７は、まず、経路切替処理を行う（ステップＳ４２）。すなわち、切替部５６が第１供給経路（送受信部５３において受信され、データ伸張部５５においてデータ伸張処理の施されたビデオデータを録画部５４に供給する経路）を選択するように設定する。そして、データ伸張部５５によるデータ伸張処理を開始させるとともに（ステップＳ４３）、録画部５４による録画を開始させる（ステップＳ４４）。なお、ステップＳ４２〜Ｓ４４は順序を入れ替えられてもよいが、何れにしてもほぼ同時に行われる。
【００９０】
そして、制御部５７は、送受信部５３において録画停止信号を受信することを待ち受ける（ステップＳ４５）。
【００９１】
録画停止信号を受信すると、制御部５７は、データ伸張部５５によるデータ圧縮処理を停止させるとともに（ステップＳ４６）、録画部１４による録画を停止させる（ステップＳ４７）。なお、切替部５６が第２供給経路（撮像部１１において生成されたビデオデータを録画部１４に供給する経路）を選択するように設定してもよいが、このような設定を行わなくてもよいことは実施形態１の場合と同じである。
【００９２】
次に、図５のフローチャートに基づいて、上記ビデオカメラシステム１のリモートコントローラ６０における制御の流れについて説明する。なお、図５のフローチャートは、撮像部５１における撮像や、液晶モニタ６１における映像の表示が既に開始されている状態を前提として、録画の開始及び停止を行うための制御を示すものである。
【００９３】
制御部６５は、操作部６４における録画開始操作を待ち受ける（ステップＳ５１）。
【００９４】
録画開始操作を受け付けると、制御部６５は、データ圧縮部６６によるデータ圧縮処理を開始させ（ステップＳ５２）、このデータ圧縮処理の施されたビデオデータの送受信部６３による送信を開始させるとともに（ステップＳ５３）、送受信部６３を介して録画開始信号を送信させる（ステップＳ５４）。なお、ステップＳ５２〜Ｓ５４は順序を入れ替えられてもよいが、何れにしてもほぼ同時に行われる。
【００９５】
そして、制御部６５は、操作部６４における録画停止操作を待ち受ける（ステップＳ５５）。
【００９６】
録画停止操作を受け付けると、制御部６５は、送受信部６３を介して録画停止信号を送信させ（ステップＳ５６）、データ圧縮部６６によるデータ圧縮処理を停止させ（ステップＳ５７）、送受信部６３によるビデオデータの送信を停止させる（ステップＳ５８）。
【００９７】
以上のような構成を有するビデオカメラシステム２を利用するユーザは、実施形態１のビデオカメラシステム１と同じく、撮像部５１において撮像されている映像を、リモートコントローラ６０における液晶モニタ６１によってモニタするとともに、映像を録画しておきたいと判断した場合には、操作部６４において録画開始操作を行うことにより、遠隔操作によって録画部５４に映像を録画することができる。
【００９８】
そして、ビデオカメラシステム２では、撮像部１１において生成されたビデオデータを、一旦リモートコントローラ６０に送信し、モニタされるＡＶデータと同期処理された後、リモートコントローラ６０から返送されてきたビデオデータを録画部５４に供給するようになっている。
【００９９】
これにより、液晶モニタ２１の表示に基づいて指定された映像上の録画開始時点と、録画部１４に実際に録画された映像上の録画開始時点とのずれをなくす、あるいは小さくすることができる。録画停止時点に関しても、上記録画開始時点の場合と同じように、ずれをなくす、あるいは小さくすることができる。
【０１００】
その結果、ビデオカメラシステム１では、液晶モニタ２１を見ながら録画開始及び録画停止の操作を行うユーザの意図をより的確に反映した録画を行うことが可能となる。
【０１０１】
なお、以上ではビデオカメラシステム１において記録するデータとしてビデオデータを想定して説明したが、記録するデータとして、ビデオデータとともにオーディオデータが含まれていてもよく、ビデオデータを含まないオーディオデータであってもよい点については、実施形態１の場合と同じである。
【０１０２】
また、以上では録画部５４に動画を記録することを想定して説明したが、静止画を記録できるようになっていてもよい点についても、実施形態１の場合と同じである。
【０１０３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０４】
本発明は、例えば、リモートコントローラによりモニタしつつ遠隔操作により録画制御を行うビデオカメラに適用することができる。
【図面の簡単な説明】
【０１０５】
【図１】本発明の第１実施形態におけるビデオカメラシステムの構成を示すブロック図である。
【図２】図１のビデオカメラシステムにおいて録画開始及び停止を行うための制御の流れを示すフローチャートである。
【図３】本発明の第２実施形態におけるビデオカメラシステムの構成を示すブロック図である。
【図４】図３のビデオカメラシステムにおいて録画開始及び停止を行うための制御の流れを示すフローチャートである。
【図５】図３のビデオカメラシステムにおいて録画開始及び停止を行うための制御の流れを示すフローチャートである。
【図６】従来のビデオカメラシステムの構成を示すブロック図である。
【符号の説明】
【０１０６】
１  ビデオカメラシステム（記録システム）
２  ビデオカメラシステム（記録システム）
１０  撮像ユニット（撮像記録ユニット）
１１  撮像部（撮影手段）
１２  データ圧縮部（圧縮手段）
１３  送受信部（送信手段、受信手段）
１４  録画部（記録手段）
１５  短時間記録部（遅延手段）
１６  切替部（切替手段）
１７  制御部
１９  録画装置（記録装置）
２０  リモートコントローラ（コントロールユニット）
２１  液晶モニタ（モニタ手段）
２２  データ伸張部（伸張手段）
２３  送受信部（送信手段、受信手段）
２４  操作部（操作手段）
２５  制御部
５０  撮像ユニット（撮像記録ユニット）
５１  撮像部（撮影手段）
５２  データ圧縮部（圧縮手段）
５３  送受信部（送信手段、受信手段）
５４  録画部（記録手段）
５５  データ伸張部（伸張手段）
５６  切替部（切替手段）
５７  制御部
５９  録画装置（記録装置）
６０  リモートコントローラ（コントロールユニット）
６１  液晶モニタ（モニタ手段）
６２  データ伸張部（伸張手段）
６３  送受信部（送信手段、受信手段）
６４  操作部（操作手段）
６５  制御部
６６  データ圧縮部（圧縮手段）
【図１】
2006121212.tif 000003
【図２】
2006121212.tif 000004
【図３】
2006121212.tif 000005
【図４】
2006121212.tif 000006
【図５】
2006121212.tif 000007
【図６】
2006121212.tif 000008